(57)【要約】無線ネットワークにおける近隣情報を提供する技術および／または無線ネットワークにおける測定パイロット送信情報を提供する技術を提供する技術に関して様々な実施形態が開示される。例示的実施形態によると、近隣レポート（900）は、第一の無線ノード（104, 114）から受信されてもよく、その近隣レポートは、一つ以上のその他の無線ノードに関する測定パイロット送信情報（908）を少なくとも含む（1610）。例示的実施形態によると、一つ以上のその他の無線ノードのうちの少なくとも一つからの信号を測定するための信号測定技術は、近隣レポートに少なくとも部分的に基づいて決定されてもよい（1612）。別の例示的実施形態によると、メッセージは、第一の無線ノードから受信されてもよく、そのメッセージは、第一の無線ノードに関する測定パイロット送信情報を含む（1410）。第一の無線ノードからの信号を測定するための信号測定技術は、受信されたメッセージに少なくとも部分的に基づいて決定されてもよい（1420）。【選択図】図１１
2009509374.tif 000002
【特許請求の範囲】
【請求項１】
第一の無線ノードから近隣レポートを受信することであって、前記近隣レポートは、一つ以上のその他の無線ノードに関する測定パイロット送信情報を少なくとも含むこと（1110）と、
前記近隣レポートに少なくとも部分的に基づいて、前記一つ以上のその他の無線ノードのうちの少なくとも一つからの信号を測定するための、信号測定技術を決定すること（1120）と、
を含む方法。
【請求項２】
前記近隣レポートは、前記一つ以上のその他の無線ノードに関する測定パイロット送信情報およびビーコン情報を含む（1112）、請求項1に記載の方法。
【請求項３】
前記測定パイロット送信情報は、前記一つ以上のその他の無線ノードのうちの少なくとも一つに関する測定パイロットをノードが送信しているか否かに関する表示を含む（1114）、請求項1に記載の方法。
【請求項４】
前記測定パイロット送信情報は、前記一つ以上のその他の無線ノードに関する測定パイロット間隔を含む（1116）、請求項1に記載の方法。
【請求項５】
前記近隣レポートは、前記一つ以上のその他の無線ノードに関する、測定パイロット間隔、ネットワークID、およびタイマー値またはタイマーオフセットを含む、請求項1に記載の方法。
【請求項６】
前記決定された測定技術を使用して、前記一つ以上のその他の無線ノードのうちの少なくとも一つからの信号を測定することをさらに含む（1130）、請求項1に記載の方法。
【請求項７】
前記決定することは、前記近隣レポートに少なくとも部分的に基づいて、
測定パイロット信号の監視または受信、
受信されたビーコンを使用するパッシブスキャン、または
プローブ要求およびプローブ応答を使用するアクティブスキャン
の信号測定技術のうちの一つ以上を決定することを含む（1122）、請求項1に記載の方法。
【請求項８】
前記近隣レポートを要求すること（1144）をさらに含む、請求項1に記載の方法。
【請求項９】
前記決定することは、前記一つ以上のその他のノードのうちの少なくとも一つに関する測定パイロット間隔に少なくとも部分的に基づいて、時間周期に関して測定パイロット信号を監視または受信するために決定することを含む、請求項1に記載の方法。
【請求項１０】
第一のアクセスポイント（AP）に近隣レポート要求を送信すること（1210）と、
前記第一のAPから近隣レポートを受信すること（1220）と、
前記近隣レポートに少なくとも部分的に基づいて、一つ以上のその他の無線ノードからの信号を測定するための、信号測定技術を決定すること（1230）と、
を含む方法。
【請求項１１】
前記近隣レポート要求を送信することは、第一のアクセスポイント（AP）に近隣レポート要求を送信することを含み、前記近隣レポート要求は、一つ以上のその他のAPに関する前記近隣レポートに提供されるビーコン情報および／または測定パイロット送信情報のうちの一つ以上を特定する（1212）、請求項10に記載の方法。
【請求項１２】
前記決定された測定技術を使用して、前記一つ以上のその他の無線ノードのうちの少なくとも一つからの信号を測定すること（1240）をさらに含む、請求項10に記載の方法。
【請求項１３】
前記近隣レポートを受信することは、前記第一のAPから近隣レポートを受信することを含み、前記近隣レポートは、前記一つ以上のその他のAPのうちの少なくとも一つに関する測定パイロット間隔を含む（1222）、請求項10に記載の方法。
【請求項１４】
第一のAPから近隣レポートを受信することであって、前記近隣レポートは、一つ以上のその他のAPに関する測定パイロット間隔を少なくとも含むこと（1310）と、
前記近隣レポートに基づいて、前記一つ以上のその他のAPに関する測定パイロットを受信または測定するための測定周期または測定時間を決定すること（1320）と、
前記決定することに基づいて、一つ以上のその他のAPの測定パイロットを測定または受信すること（1330）と、
前記一つ以上のその他のAPのうちの少なくとも一つに関するさらなる情報を入手するために、アクティブスキャンまたはパッシブスキャンを用いること（1340）と、
前記さらなる情報に基づいて、前記その他のAPのうちの一つとアソシエーションを行うこと(1350)、
を含む方法。
【請求項１５】
制御装置（1704）と、
前記制御装置に接続されるメモリ（1706）と、
前記制御装置に接続される無線送受信機（1702）と、
を備える装置であって、
第一の無線ノードから近隣レポート（900）を受信し、前記近隣レポートは、一つ以上のその他の無線ノード（1110）に関する測定パイロット送信情報（908）を少なくとも含み（1110）、
前記近隣レポートに少なくとも部分的に基づいて、前記一つ以上のその他の無線ノードからの信号を測定するための、信号測定技術を決定する（1120）、
ように構成される装置。
【請求項１６】
前記装置は、前記第一の無線ノードから前記近隣レポート（900）を受信するように構成され、前記近隣レポートは、1）ノードが測定パイロットを送信しているか否かに関する表示、または2）前記一つ以上のその他の無線ノードのうちの少なくとも一つに関する測定パイロット間隔、のうちの一つ以上を含む、請求項15に記載の装置。
【請求項１７】
第一の無線ノードからメッセージを受信することであって、前記メッセージは、前記第一の無線ノードに関する測定パイロット送信情報を含むこと（1410）と、
前記受信されたメッセージに少なくとも部分的に基づいて、前記第一の無線ノードからの信号を測定するための信号測定技術を決定すること（1420）、
を含む方法。
【請求項１８】
前記受信されたメッセージには、プローブ応答メッセージまたは近隣レポートが含まれる（1412）、請求項17に記載の方法。
【請求項１９】
前記測定パイロット送信情報は、前記第一の無線ノードが測定パイロットを送信しているか否かに関する表示を含む（1414）、請求項17に記載の方法。
【請求項２０】
前記測定パイロット送信情報は、前記第一の無線ノードに関する測定パイロット間隔を含む（1416）、請求項17に記載の方法。
【請求項２１】
前記決定することは、前記第一の無線ノードに関する前記測定パイロット送信情報に少なくとも部分的に基づいて、前記第一の無線ノードからの信号を測定するために使用される信号測定技術であって、
前記第一の無線ノードからの測定パイロット信号の監視または受信、または
プローブ要求およびプローブ応答を使用するアクティブスキャン
のうちの一つ以上を決定すること（1422）を含む、請求項17に記載の方法。
【請求項２２】
第一の無線ノードからメッセージを受信することであって、前記メッセージは、前記第一の無線ノードに関する測定パイロット送信情報を含むこと（1510）と、
前記受信されたメッセージにおける前記測定パイロット送信情報に少なくとも部分的に基づいて、前記第一の無線ノードからの測定パイロット信号を受信するための時間を推定すること（1520）と、
を含む方法。
【請求項２３】
前記推定された時間に、前記第一の無線ノードから測定パイロット信号を受信すること（1530）をさらに含む、請求項22に記載の方法。
【請求項２４】
前記受信されたメッセージには、プローブ応答メッセージまたは近隣レポートが含まれる（1512）、請求項22に記載の方法。
【請求項２５】
前記測定パイロット送信情報は、前記第一の無線ノードが測定パイロットを送信しているか否かに関する表示を含む（1514）、請求項22に記載の方法。
【請求項２６】
前記測定パイロット送信情報は、前記第一の無線ノードに関する測定パイロット間隔を含む（1516）、請求項22に記載の方法。
【請求項２７】
第一の無線ノードから近隣レポートを受信することであって、前記近隣レポートは、一つ以上のその他の無線ノードに関する測定パイロット送信情報を少なくとも含むこと（1610）、
を含む方法。
【請求項２８】
前記測定パイロット送信情報は、前記一つ以上のその他の無線ノードに関する測定パイロット間隔を含む（1612）、請求項27に記載の方法。
【請求項２９】
制御装置（1704）と、
前記制御装置に接続されるメモリ（1706）と、
前記制御装置に接続される無線送受信機（1702）と、
を備える装置であって、
第一の無線ノードから近隣レポートを受信するように構成され、前記近隣レポートは、一つ以上のその他の無線ノードに関する測定パイロット送信情報を少なくとも含む（1610）、装置。
【発明の詳細な説明】
【関連出願の相互参照】
【０００１】
本出願は、2005年9月16日に出願された発明の名称が「無線ネットワークにおいて近隣情報（Neighbor Information）を提供する技術」である米国仮出願第60/718,002号、および2006年5月12日に出願された発明の名称が「無線ネットワークにおいて測定パイロット送信情報（Measurement Pilot Transmission Information）を提供する技術」である米国仮出願第60/800,242号に対して優先権を主張し、両出願は、参照することによって本明細書に組み込まれる。
【背景】
【０００２】
無線ローカルエリアネットワーク（Wireless Local Area Network; WLAN）などの無線ネットワークは、一般的に、無線またはその他の周波数を介して通信する。WLANにおいて、例えば、移動局は、一般的に移動しており、アクセスポイント（Access Point; AP）または基地局と通信することができる。APは、一般的に、インフラストラクチャネットワークまたは有線ネットワークに接続（または非接続）されてもよい固定装置である。
【０００３】
最も一般的なWLAN技術は、IEEE 802.11b、IEEE 802.11g、およびIEEE 802.11aの仕様書などの、電気電子技術者協会（Institute of Electrical and Electronics Engineers; IEEE）の802.11系の産業仕様書に記載されている。802.11移動局群は、基本サービスセット識別子（Basic Service Set Identifier; BSSID）に識別されうる基本サービスセット（Basic Service Set; BSS）として知られるネットワークにおいて、直接または一つのAPを介して相互に通信することができる。BSS群（例えば、BSS毎に一つのAPを備える）は、サービスセットID（Service Set ID; SSID）に識別されうる拡張サービスセット（Extended Service Set; ESS）として知られる、より大きいWLANネットワーク（例えば、多数のAPを備える）において接続されることができる。
【０００４】
移動局が無線ネットワーク（例えば、WLAN）を移動する際、その時点でアソシエーション（作用）しているAPの信号受信レベルが低過ぎるおよび／または別のAPの方が良好な信号レベルまたは能力を提供する場合に、その時点のアソシエーションを、APから別のAPへ変更する必要がある。本手順は、ローミングとして知られており、移動局がAP間のアソシエーションを切り替え可能にする。
【０００５】
新しいAPにローミングまたはアソシエーションするにあたって、移動局は、まず、一つ以上のAPを検索することができる。AP間のローミングを可能にするために無線信号を測定または監視する数多くの既知の技術が存在する。APによって送信される信号は、通常は監視可能で、その受信信号強度（Received Signal Strength; RSS）は、例えばAP毎に測定されることができる。具体的に、APは、例えば、パッシブスキャンを介して、およびアクティブスキャンによって検索されてもよい。
【０００６】
パッシブスキャンにおいて、無線局は、一つ以上のチャネルを監視して、APによって送信されるビーコンまたはプローブ応答が存在するか否かを決定する。ビーコンは、例えば100msなどの一定の間隔（ビーコン間隔として知られる）で各APによって送信されることができる。ビーコン（またはビーコン信号）には、例えば、APタイムスタンプ、特定のWLANネットワークを識別するBSSID、トラフィック指標マップ（Traffic Indication Map; TIM）、ビーコン間隔（またはビーコン送信間の時間）、サポートデータ速度の指標、パラメータ設定またはサポートされる特定の信号伝達方法に関する情報、能力情報（有線等価プライバシー（Wired Equivalency Privacy; WEP）つまりWEPプロトコルがサポートされているかなど）、およびその他の情報が含まれてもよい。パッシブスキャンにおいて、ノードは、複数のチャネルの各々のビーコンまたはプローブ応答を聴取し、APの受信信号強度、能力、およびデータ速度などの各APに関する情報を収集する。場合によって、パッシブスキャンは、発生しない可能性のあるまたはアイドルチャネルでありうるビーコンまたはプローブ応答を聴取し、時間および電力を消費する。
【０００７】
アクティブスキャンは、プローブ要求を一つ以上の特定のAPに送信し、かつプローブ応答をAPから受信する移動局を伴うことができる。アクティブスキャンにより、移動局は、APまたはその他の局と交信可能になり、情報が入手できるようになる。移動局は、例えば、サービスセット識別子（Service Set Identity; SSID）を特定するプローブ要求をプローブ要求フレームで送信することができる。SSIDに一致するチャネル上のいかなるAPまたは局も、例えば、プローブ応答で応答することができる。ビーコンと類似するプローブ応答は、局がネットワークにアクセス可能またはAPにアソシエーション可能にするのに有用でありうる情報を提供することができる。ビーコン（パッシブスキャン）の監視と比較すると、アクティブスキャンは、電池寿命が長い（例えば、電池をあまり消費しない）が、プローブ要求／プローブ応答トラフィックにより、ネットワーク容量が減少する場合がある。
【０００８】
いくつかのWLANネットワークにおいて、APが無線局に近隣レポート（Neighbor Report）を提供することが提案されている。近隣レポートは、例えば、APから無線局に送信されて、その他の（例えば、近くの）アクセスポイント（AP）に関する情報を局に提供する。この提案された近隣レポートは、例えば、レポートされたAPが位置する周波数帯およびチャネルに関する情報、レポートされたAPのPHYの種類、同期情報、およびビーコン間隔などのビーコンに関する情報を含んでもよい。
【０００９】
APが測定パイロット（場合により余計なプローブ応答と呼ばれる）を送信することも近年提案されている。APは、一般的に、ビーコン（例えば、100ms毎）よりもはるかに多い頻度で（例えば、10ms毎）測定パイロットフレームを送信し、より頻繁に情報を局に提供する。したがって、測定パイロットフレーム間隔が、一般的にビーコン間隔よりもはるかに短いため、局は、測定パイロットフレームを使用することによって、チャネル上で送信するAPが存在するか否かを検出し、チャネル品質を測定し（例えば、受信信号強度の測定）、例えばチャネル上の次のビーコンを待機するよりも短時間でAPに関するその他の情報を受信することができる。したがって、場合によっては少なくとも、測定パイロットフレームによって、新しいAPへのローミングの決定およびアソシエーションが速くなる。測定パイロットフレームが含む情報は、ビーコンまたはプローブ応答で提供される情報とほとんど同一であるが、ビーコンにおけるTIMおよびDTIMフィールドのような長めのフィールドのいくつかを含まないため、測定パイロットは短くなる。
【摘要】
【００１０】
無線ネットワークにおける近隣情報（Neighbor Information）を提供する技術および／または無線ネットワークにおける測定パイロット送信情報（Measurement Pilot Transmission Information）を提供する技術に関するさまざまな実施形態が開示される。
【００１１】
例示的実施形態において、近隣レポートは、第一の無線ノード（例えば、接続中のアクセスポイントまたはAP）から受信されてもよい。前記近隣レポートは、例えば、アソシエーション応答またはプローブ応答においてあるいは個別の近隣レポート要求に応じて、APから局によって入手されてもよい。例示的実施形態によると、前記近隣レポートは、一つ以上のその他の無線ノード（またはAP）に関する測定パイロット送信情報を少なくとも含んでもよい。信号測定技術は、前記近隣レポートに少なくとも部分的に基づいて、前記一つ以上のその他の無線ノードのうちの少なくとも一つからの信号を測定するために決定されてもよい。例示的実施形態によると、前記近隣レポートは、前記一つ以上のその他の無線ノード（例えば、近隣AP）に関する測定パイロット送信情報およびビーコン情報を含んでもよい。別の実施形態において、前記測定パイロット送信情報は、前記その他の（近くの）ノードまたはAPのうちの一つが測定パイロットを送信しているか否かに関する表示を含んでもよい。前記近隣レポートは、前記一つ以上のその他の無線ノードまたはAPに関する、例えば、測定パイロット間隔（Measurement Pilot Interval）、ネットワークID、およびタイマー値またはタイマーオフセットを含んでもよい。別の例示的実施形態において、決定されうる前記信号測定技術には、測定パイロット信号の監視または受信、受信されたビーコンを使用するパッシブスキャン、またはプローブ要求およびプローブ応答を使用するアクティブスキャンが含まれてもよい。
【００１２】
例示的実施形態によると、近隣レポート要求は、第一のアクセスポイント（AP）に送信されてもよい。例示的実施形態によると、前記近隣レポート要求を送信することは、近隣レポート要求を第一のアクセスポイント（AP）に送信することを含んでもよく、前記近隣レポート要求は、一つ以上のその他のAPに関して前記近隣レポートに提供されるビーコン情報および／または測定パイロット送信情報のうちの一つ以上を特定する。近隣レポートは、前記第一のAPから受信されてもよい。例示的実施形態によると、前記近隣レポートは、前記第一のAPから受信されてもよく、前記近隣レポートは、前記一つ以上のその他のAPのうちの少なくとも一つに関する測定パイロット間隔を含む。信号測定技術は、前記近隣レポートに少なくとも部分的に基づいて、一つ以上のその他の無線ノードからの信号を測定するために決定されてもよい。例示的実施形態によると、信号は、前記決定された測定技術を使用して、前記一つ以上のその他の無線ノードのうちの少なくとも一つから測定されてもよい。
【００１３】
別の例示的実施形態によると、近隣レポートは、第一のAPから受信されてもよく、前記近隣レポートは、一つ以上のその他のAPに関する測定パイロット間隔を少なくとも含む。前記一つ以上のその他のAPに関する測定パイロットを受信または測定するための測定周期または測定時間は、前記近隣レポートに基づいて決定されてもよい。一つ以上のその他のAPの測定パイロットは、前記決定されることに基づいて、測定または受信されてもよい。アクティブスキャンまたはパッシブスキャンは、前記一つ以上のその他のAPのうちの少なくとも一つに関するさらなる情報を入手するために使用されてもよい。前記その他のAPのうちの一つは、前記さらなる情報に基づいて、アソシエーションされてもよい。
【００１４】
別の例示的実施形態において、制御装置と、前記制御装置に接続されるメモリと、前記制御装置に接続される無線送受信機とを備える装置が提供されてもよい。前記装置は、第一の無線ノードから近隣レポートを受信するように構成されてもよく、前記近隣レポートは一つ以上のその他の無線ノードに関する測定パイロット送信情報を少なくとも含み、また、前記近隣レポートに少なくとも部分的に基づいて、前記一つ以上のその他の無線ノードからの信号を測定するための信号測定技術を決定するように構成されてもよい。例示的実施形態において、前記装置は、前記第一の無線ノードから前記近隣レポートを受信するように構成されてもよく、前記近隣レポートは、1）ノードが測定パイロットを送信しているか否かに関する表示、または2）前記一つ以上のその他の無線ノードのうちの少なくとも一つに関する測定パイロット間隔、のうちの一つ以上を含む。
【００１５】
別の例示的実施形態において、メッセージは、第一の無線ノードから受信されてもよく、前記メッセージは、前記第一の無線ノードに関する測定パイロット送信情報を含む。前記第一の無線ノードからの信号を測定するための信号測定技術は、前記受信されたメッセージに少なくとも部分的に基づいて決定されてもよい。例示的実施形態によると、前記受信されたメッセージには、プローブ応答メッセージまたは近隣レポートが含まれてもよい。例示的実施形態によると、前記測定パイロット送信情報は、前記第一の無線ノードが測定パイロットを送信しているか否かに関する表示を含んでもよい。例示的実施形態によると、前記測定パイロット送信情報は、前記第一の無線ノードに関する測定パイロット間隔を含んでもよい。例示的実施形態によると、前記決定することは、前記第一の無線ノードに関する前記測定パイロット送信情報に少なくとも部分的に基づいて、前記第一の無線ノードからの信号を測定するために使用される信号測定技術（前記第一の無線ノードからの測定パイロット信号の監視または受信、あるいはプローブ要求およびプローブ応答を使用するアクティブスキャン）のうちの一つ以上を決定することを含む。
【００１６】
別の例示的実施形態において、メッセージは、第一の無線ノードから受信されてもよく、前記メッセージは、前記第一の無線ノードに関する測定パイロット送信情報を含む。前記第一の無線ノードから測定パイロット信号を受信する時間は、前記受信されたメッセージにおける前記測定パイロット送信情報に少なくとも部分的に基づいて推定されてもよい。例示的実施形態によると、測定パイロット信号は、前記推定された時間に、前記第一の無線ノードから受信されてもよい。例示的実施形態によると、前記受信されたメッセージには、プローブ応答メッセージまたは近隣レポートが含まれてもよい。例示的実施形態によると、前記測定パイロット送信情報は、前記第一の無線ノードが測定パイロットを送信しているか否かに関する表示を含んでもよい。例示的実施形態によると、前記測定パイロット送信情報は、前記第一の無線ノードに関する測定パイロット間隔を含んでもよい。
【００１７】
別の例示的実施形態によると、近隣レポートは、第一の無線ノードから受信されてもよく、前記近隣レポートは、一つ以上のその他の無線ノードに関する測定パイロット送信情報を少なくとも含む。例示的実施形態によると、前記測定パイロット送信情報は、前記一つ以上のその他の無線ノードに関する測定パイロット間隔を含んでもよい。
【００１８】
別の例示的実施形態において、制御装置と、前記制御装置に接続されるメモリと、前記制御装置に接続される無線送受信機とを備える装置が提供されてもよい。前記装置は、第一の無線ノードから近隣レポートを受信するように構成されてもよく、前記近隣レポートは、一つ以上のその他の無線ノードに関する測定パイロット送信情報を少なくとも含む。
【図面の簡単な説明】
【００１９】
【図１】例示的実施形態に係る無線ネットワークを示す図である。
【００２０】
【図２】例示的実施形態に係る測定パイロットフレームのフレーム本体を示す図である。
【００２１】
【図３】例示的実施形態に係る近隣レポート要求のフレーム本体形式を示す図である。
【００２２】
【図４】例示的実施形態に係る近隣レポート応答のフレーム本体形式を示す図である。
【００２３】
【図５】例示的実施形態に係る近隣レポート要素の形式を示す図である。
【００２４】
【図６】例示的実施形態に係る近隣リスト入力形式の例を示す図である。
【００２５】
【図７】移動局がその他の近隣APからの信号を測定しているが、測定パイロット送信情報を提供する近隣レポートを入手しない例を示す図である。
【００２６】
【図８】移動局が、その他の近隣APからの信号を測定し、例示的実施形態に係る測定パイロット送信情報を提供しうる例示的な近隣レポートを受信した例を示す図である。
【００２７】
【図９】別の例示的実施形態に係る近隣レポート応答のフレーム本体形式を示す図である。
【００２８】
【図１０】例示的実施形態に係るプローブ応答フレームを示す図である。
【００２９】
【図１１】例示的実施形態に係る無線ノードの動作を示すフローチャートである。
【００３０】
【図１２】例示的実施形態に係る無線ノードの動作を示すフローチャートである。
【００３１】
【図１３】別の例示的実施形態に係る無線ノードの動作を示すフローチャートである。
【００３２】
【図１４】別の例示的実施形態に係る無線ノードの動作を示すフローチャートである。
【００３３】
【図１５】別の例示的実施形態に係る無線ノードの動作を示すフローチャートである。
【００３４】
【図１６】別の例示的実施形態に係る無線ノードの動作を示すフローチャートである。
【００３５】
【図１７】例示的実施形態に係る無線ノードに提供されうる装置を示すブロック図である。
【詳細な説明】
【００３６】
図面を参照するにあたって、図面における同一符号は同一要素を示す。図1は、例示的実施形態に係る無線ネットワーク102および112を示す図である。例示的実施形態によると、無線ネットワーク102および無線ネットワーク112などの無線ネットワークの各々は、移動局、アクセスポイント（AP）、基地局などの無線ノードを多数含んでもよい。
【００３７】
例示的実施形態によると、各無線ネットワーク102、112は、アクセスポイント（AP）と、APと通信しうる一つ以上の移動局とを含んでもよい。例えば、図1に示されるように、無線ネットワーク102は、AP104と、移動局106および移動局108などのAP104と通信しうるいくつかの移動局とを含んでもよい。同様に、無線ネットワーク112は、AP114と、移動局116および移動局118などのAP114と通信しうるいくつかの移動局とを含んでもよい。図示されないが、AP102およびAP112は、固定ネットワークに接続されてもよい。
【００３８】
本明細書に記載されるさまざまな実施形態は、WLANネットワーク（例えば、IEEE 802.11型ネットワーク）、セルラーネットワーク、無線（radio）ネットワーク、またはその他の無線（wireless）ネットワークなどの多種多様のネットワークおよび技術に適用可能であってもよい。別の例示的実施形態において、さまざまな実施例および実施形態は、複数のメッシュポイント（例えば、アクセスポイント）が有線または無線リンクを介して接続されてもよいメッシュ無線ネットワークに適用されてもよい。用語の「ノード」または「無線ノード」あるいは「ネットワークノード」または「ネットワーク局」は、例えば、加入者基地局または移動局、アクセスポイントまたは基地局、中継局またはその他の中間無線ノードなどの無線局、あるいはノート型パソコン、デスクトップ型パソコン、および周辺機器などのその他の無線コンピュ?ターデバイスを言及してもよい。
【００３９】
図2は、例示的実施形態に係る測定パイロットフレームの例示的なフレーム本体200を示す図である。例えば、測定パイロット本体200は、タイムスタンプ（パイロットのソースに関するタイミング同期機能（Timing Synchronization Function; TSF）の値を示す）、測定パイロット間隔（測定パイロットの送信間隔）、ビーコン間隔（例えば、APなどの送信する側の無線ノードのビーコン間隔）、能力情報（送信する側のノードの能力のいくつかを記載）、ロバストセキュリティネットワーク（Robust Security Network; RSN）能力（例えば、認証および暗号化に関するセキュリティ関連情報を含む）、国文字列（国情報を提供する）、ならびに最大規制電力、最大送信電力、使用送信電力、送受信機ノイズフロア、および直接シーケンス（Direct Sequence; DS）パラメータ設定（例えば、直接シーケンス物理層デバイス（Physical Layer Device; PHY）を使用する場合に、使用されうるフィールド）を含むその他の多くのフィールドを含んでもよい。また、メッシュネットワークにおいて、ビーコンまたは測定パイロットと類似するパケットが、定期的に送信されてもよい。これらのパケットは、送信メッシュポイントまたはメッシュネットワークに関する情報を含む。
【００４０】
さまざまな異なる作用または機能が、無線（例えば、WLAN）ネットワークにおいて提供されてもよい。これらの作用には、例えば、認証（例えば、移動局がAPにより認証されうる処理）、アソシエーション（例えば移動局がAPに登録されるための処理）、およびその他の作用が含まれてもよい。
【００４１】
ネットワークが実行できる別の作用として、無線測定（または無線リソース測定）が含まれてもよく、その無線測定には、例えば、無線測定の実行、無線測定の要求およびレポート、近隣APに関する情報提供、および無線測定に関するその他の機能が含まれてもよい。例えば、無線測定の一部として、局は、異なる無線測定要求をその他の局に送信して、その他の（近くの）APの無線測定情報などの無線測定情報を求めることができる。別のノードから無線測定要求を受信するノード（例えば、局またはAP）は、適切な無線測定レポートを生成し、かつ要求する局にそれを送信して、要求された情報を提供する。
【００４２】
これらの無線測定要求には、例えば、ビーコン要求（またはビーコン測定要求）が含まれてもよいが、そのビーコン要求は、APから局に提出されてもよい。例えば、ビーコン要求に応じて、局は、APにビーコンレポートを提供してもよく、そのビーコンレポートは、局によって収集されたその他のAPからのビーコンまたはその他の信号に関する情報をAPに提供することができる。しかしながら、多くの種類の無線測定要求が存在してもよい。
【００４３】
例示的実施形態によると、ビーコンレポートは（例えば、ビーコン測定要求に応じて）、一つ以上のAPから受信する一つ以上の測定パイロットに少なくとも部分的に基づいて、生成されてもよい。別の実施形態において、ビーコンレポートは、次のうちの一つ以上から生成されてもよい：局のビーコンテーブル（例えば、アクティブスキャン、パッシブスキャン、測定パイロットなどに基づいて局によって自動的に生成されて、要求に応じた付加的な測定を一般的に伴わないテーブル）、アクティブスキャン（プローブ要求およびプローブ応答の使用）、パッシブスキャン（APからのパッシブ監視ビーコンおよびプローブ応答）、およびAPからの測定パイロットのパッシブ監視。例示的実施形態によると、APは、そのビーコン要求において測定モードを含んで、測定に関する特定のモード（例えば、パッシブスキャン、アクティブスキャン、測定パイロット、またはビーコンテーブル）を特定してもよい。あるいは、これらの測定モードのいずれか（例えば、ビーコンテーブル以外）を局が選択できるようにして、要求される情報を提供するようにしてもよい。
【００４４】
要求および入手されうる別の種類の無線測定レポートとして、近隣レポートがある。近隣レポートは、例えば、APから無線局に送信されて、その他の（例えば近くの）アクセスポイント（AP）に関する情報を局に提供する。近隣レポートは、例えば、アソシエーション応答においてAPから無線局に提供されてもよく（例えば、近隣レポートが、アソシエーション要求において要求された場合に、局からのアソシエーション要求に応じて）、あるいは近隣レポートは、局からの要求に応じてAPから無線局に個別に送信されてもよい。例示的実施形態によると、近隣レポートは、プローブ要求において要求されて、対応するプローブ応答においてAPから局へ提供されてもよい。
【００４５】
例示的実施形態によると、少なくともいくつかの場合において、AP信号が、近隣レポートを提供することによって、より効率的またはより実用的に測定されてもよい。その近隣レポートは、例えば、一つ以上の近隣APに関する、ビーコンまたは測定パイロットがAPから受信されたか否かに関する表示、ビーコン間隔、測定パイロット間隔、TSFオフセットまたはタイマー値、チャネル、およびBSSID（例えば、ネットワークID）、のうちの一つ以上を含む。近隣レポートで提供されうるこの情報は、無線局によって使用されて、一つ以上のその他のAPに関してAP信号を測定するための適切な測定技術を決定および実行してもよい。
【００４６】
例えば、ノード（例えば、AP）が高い頻度（例えば、10ms）で測定パイロットを送信することが、近隣レポートにより示されると、移動局は、ノードの測定パイロットをパッシブ的に監視することによって、そのノード（例えば、AP）からの信号を測定する決定を下してもよい。反対に、ノードが非常に低い頻度で測定パイロットを送信することまたは全く送信しないことが近隣レポートにより示されると、移動局は、そのノードまたはAPからの信号を測定するための別の測定技術（例えば、アクティブスキャン）を使用してもよい。これらは、具体例のいくつかに過ぎず、本明細書の説明はそれに限定されない。
【００４７】
別の例示的実施形態において、受信する側のノードは、第一の無線ノードに関する測定パイロット送信情報を含むメッセージを、第一の無線ノードから受信してもよい。測定パイロット送信情報は、例えば、プローブ応答メッセージまたは近隣レポートを介して受信されてもよい。測定パイロット送信情報は、例えば、第一の無線ノードに関する測定パイロット間隔を示してもよい。受信する側のノードは、次に、測定パイロット送信情報に基づいて、第一の無線ノードから測定パイロットを受信する時間を決定または推定してもよい。
【００４８】
図3は、例示的実施形態に係る近隣レポート要求のフレーム本体形式300の例を示す図である。近隣レポート要求のフレーム本体300は、多数のフィールドを含んでもよく、例えば、カテゴリー（無線測定カテゴリーを示す値に設定されてもよい）、アクション（近隣レポート要求を示す値に設定されてもよい）、ダイアログトークン（例えば、近隣レポートが局によって個別に要求される場合に、近隣レポート／要求トランザクションを識別するために、近隣レポート要求を送信する局が選択する非ゼロ値に設定されてもよく、例示的実施形態において、アソシエーション要求またはプローブ要求において近隣レポートが要求される場合、ダイアログトークンはゼロに設定されうる）、およびサービスセット識別子（Service Set Identifier; SSID）（SSIDフィールドは、可変長であってもよい）、が含まれる。一つ以上のSSID（またはその他のネットワークID）は、特定のESS（または特定のネットワーク）に関する近隣レポートを要求するために含まれてもよく、SSID値がないということは、現在のESS（拡張サービスセット）に関して近隣レポートが要求されていることを示す。
【００４９】
図3に示されるように、近隣レポート要求のフレーム本体300の例は、近隣レポート要求タイプという別のフィールドを含んでもよく、その近隣レポート要求タイプは、ビーコン情報および／または測定パイロット送信情報が近隣レポートに提供されるか否かを特定するために使用されてもよい。近隣レポート要求タイプのフィールドには、例えば、長さが1オクテットであってもよく、いくつかのサブフィールドを含んでもよい。そのサブフィールドとして、例えば、1）ビーコン要求ビット（近隣レポートにおいて、各近隣APのビーコン間隔などのビーコン情報を要求するために1に設定されてもよく、例えば、本ビットが空白またはゼロである場合、ビーコン間隔情報は、近隣レポートにおいて要求されていないことになる）、ならびに2）測定パイロット要求ビット（測定パイロット送信情報（測定パイロット間隔など）が近隣レポートにおいて要求される場合に1に設定されてもよく、例えば、本ビットが空白であると、測定パイロット送信情報が要求されないことになる）、が含まれる。例示的実施形態（TSFオフセットが、レポートされている測定パイロットのソースまたはビーコンのソースのタイミング同期機能（Timing Synchronization Function; TSF）（またはその他のタイマー値）の値である場合）によると、これらのビットの両方または片方が設定されると、これは、各近隣に関するTSFオフセットの要求にもなりうる。
【００５０】
図4は、例示的実施形態に係る近隣レポート応答のフレーム本体形式400の例を示す図であり、多数のフィールドを含んでもよい。そのフィールドとして、例えば、カテゴリーフィールドおよびダイアログトークンフィールドは、近隣レポート要求（図3）と同一であってもよく、アクションフィールドは、近隣レポートを示す値に設定されてもよく、近隣レポート要素は、レポートされる近隣APに関する情報を提供してもよい（したがって可変長であってもよい）。
【００５１】
図5は、例示的実施形態に係る近隣レポート要素形式500の例を示す図であり、多数のフィールドを含む。そのフィールドとして、要素IDは、近隣レポート値に設定されてもよく（例えば、近隣レポートを識別するための値）、長さは、近隣レポートの長さを示し、かつ近隣レポートにおいてレポートされる近くのAPの数に依存してもよく、ならびに近隣リストフィールドは、近隣レポートでレポートされる各APに関する近隣リストフィールド（または入力）を含んでもよい。
【００５２】
図6は、例示的実施形態に係る近隣リスト入力形式600の例を示す図である。前述のように、近隣レポートでレポートされる各近隣APに関する近隣リスト入力が存在してもよい。近隣リスト入力は、多数のフィールドを含んでもよく、そのフィールドとして、BSSIDは、レポートされるBSS（またはネットワーク）のBSSID（またはネットワークID）を含んでもよく、チャネル番号は、レポートされるAPの動作中のチャネルを示してもよく、規定区分は、例えば、進行中のチャネルが有効である周波数を示してもよく、PHYオプションは、PHYの種類を示してもよく、かつ一つ以上のフラグを含んでもよい。フラグには、TSFオフセットフィールド（またはタイマー）値の存在を示すTSF（タイミング同期機能またはタイマー）フラグと、測定パイロット送信情報の存在を示す測定パイロットフラグ（またはビット）と、ビーコン情報の存在を示すビーコンフラグとが含まれる。例示的実施形態において、これらのフラグのうちの一つ以上は、存在しなくてもよい。また、レポートが近隣情報フィールドを含むことを示す一つのフラグのみを有することも可能であり、その近隣情報フィールドは、例えば、TSFオフセット、ビーコン情報、および測定パイロット間隔などの測定パイロットの情報を含んでもよい。例示的実施形態において、フラグは省略されてもよく、測定パイロット間隔は含まれてもよい。
【００５３】
また、図6に示されるように、各近隣リスト入力は、近隣情報フィールドを含んでもよく、その近隣情報フィールドには、1）APからのTSFオフセットまたはタイマー値、2）APのビーコン間隔を提供するビーコン情報（例えば、ビーコン間の間隔または時間間隔であり、例えばいくつかのAPについては100msである）、ならびに3）測定パイロット送信情報を、各近隣デバイスまたはAP毎に含んでもよい。この測定パイロット送信情報は、APの測定パイロット間隔（例えば、APの測定パイロット間の間隔または時間間隔であり、例えばいくつかのAPについては10msである）あるいは近隣APが測定パイロットフレームを送信しているか否かまたは不明かを示す短い（例えば1ビットまたは2ビット）フィールドを含んでもよい。例示的実施形態において、測定パイロット間隔値がゼロに設定されると、APがパイロット送信していないまたは間隔が不明である（例えば、APからのパイロットが検出されなかった）ことを示してもよい。例えば、近隣情報フィールドは、例えば、6バイトであり、サブフィールド（TSFオフセット、ビーコン情報、および測定パイロット送信情報）毎に2バイトであってもよい。ビーコン情報（例えば、ビーコン間隔）および／または測定パイロット送信情報（例えば、測定パイロット間隔）は、その情報が例示的実施形態に係る近隣レポート要求300（図3）における近隣レポート要求タイプフィールドで要求される場合に、その近隣レポートでAPによって提供されてもよい。
【００５４】
例示的実施形態によると、APのTSFオフセット（またはタイマー値）およびビーコン間隔により、場合によって、かかる情報を含む近隣レポートを受信する局が、いつAPがそのビーコンを送信しているかを決定または推定できるようになる。同様に、APのTSFオフセット（またはタイマー値）およびAPの測定パイロット間隔により、場合によって、かかる情報を含む近隣レポートを受信する局が、いつAPがその測定パイロットを送信しているかを決定または推定できるようになる。例示的実施形態によると、ビーコン間隔および測定パイロット間隔は、APのビーコンおよび／または測定パイロットを受信するために、APからの信号をどのくらい監視または受信するべきかを局に示すことができる。
【００５５】
付加的にまたは代替的に、例示的な測定パイロット送信情報は、APが測定パイロットを送信しているか否かを示す（例えば、APの測定パイロットが検出されたか否かを示す）ビットまたはフラグが含まれてもよい（または含まれてなくてもよい）。例示的なビーコン情報は、APがビーコンを送信しているか否かを示す（例えば、ビーコンがAPについて検出されたか否かを示す）ビットまたはフラグを単に含んでもよい。例示的実施形態によると、ビーコン情報および測定パイロット送信情報によって、APがビーコンおよび測定パイロットを送信しているか否かを示すフラグまたはフィールドがそれぞれ提供される場合、これらのフラグまたはビットは、場合により、図3で要求される近隣レポート要求タイプに関わらず（例えば、ビーコン情報または測定パイロット送信情報が、近隣レポート要求で具体的に要求されたか否かに関わらず）、近隣レポートにおいて自動的に提供される。
【００５６】
図7は、移動局が、あるAPとアソシエーション中であり、別のAPへローミングをしようとする例を示す図である。移動局が、その他のいかなるAPにローミング（またはアソシエーション）する前に、移動局は、一般的に、その他の（例えば、近くの）APの信号品質を測定する。本実例において、移動局は、その他のタスクを対処する（例えば、IPトラッフィック上の音声またはその他のタスクの処理および／または転送する）のにビジー状態であるために、その他の（近くの）APからの信号を監視またはスキャンするのに非常に限られた時間（例えば、チャネル毎に20ms）しかない。本実例において、移動局は、該当する場合に、近くのAPが測定パイロット704を送信しているかを把握しておらず、また、かかる測定パイロットフレームの送信間隔も把握していない。また、移動局は、近くのAPからのビーコン702の送信間隔を把握するまたは把握していないが、ビーコン間隔（例えば、100ms）は、一般的な測定パイロット間隔（例えば、10ms）よりも一般的に遅い。
【００５７】
図7に示されるように、移動局は、20msの測定時間周期で各APのチャネルを連続的に測定または感知してもよい。AP1は20msで測定されるが、この測定時間周期中にパケット（ビーコンまたは測定パイロット信号あるいはその他のパケット）は受信されない。同様に、AP2のチャネルは、20msで測定または感知されるが、この測定時間周期中にパケットは検出されない。本実例において、移動局は、AP1が測定パイロットを送信していなかったこと、ならびにAP2が40msの送信間隔で測定パイロットを送信していることを認識していなかった。したがって、この場合、移動局が、ビーコンまたは測定パイロットを検出するためにこれらのチャネルをいつ測定するか、または測定パイロットフレームなどを受信するのにその信号測定が一般的にどれくらいかかるか（例えば、平均で）を認識していなかったため、AP1およびAP2を感知する20msの測定または信号では、本例においてAP1およびAP2からの信号を検出するには不十分であった。したがって、この場合、これらのAP1およびAP2に関する二つの20msの測定時間周期は、リソースの非効率的な使用と考えられ（例えば、貴重な時間および電力を無駄にした）、少なくとも部分的にAPとその信号に関する情報が欠如していたことが理由で、その結果に至った。図7において、移動局は、AP3のチャネルを20msで測定し、AP3の測定パイロットを二つ検出したが、その移動局は、AP3が測定パイロットを送信していたことを最初に認識していなかった。
【００５８】
図8は、移動局が、AP（接続中のAP，Serving AP）とアソシエーション中であり、別のAPへローミングしようとする例を示す図である。本例示的実施形態において、移動局は、近隣レポートにおいて、一つ以上のその他の（近くの）APが送信する測定パイロットおよび／またはビーコンに関する情報を受信してもよい。例示的実施形態によると、移動局は、その接続中の（アソシエーション中の）APへのアソシエーション要求内または個別要求において、例えば、ビーコン情報および測定パイロット送信情報が、要求された近隣レポートで提供されるべきことを示す近隣レポート要求を送信してもよい。近隣レポート要求に応じて、接続中のAPは、移動局に近隣レポートを送信してもよく、その近隣レポートは、例えば、AP1、AP2、およびAP3を含む複数の近隣APの各々に関する、BSSIDおよびチャネル、タイマーまたはTSFオフセット、ビーコン情報（例えば、ビーコン間隔）ならびに測定パイロット送信情報（例えば、測定パイロット間隔）が含む。
【００５９】
したがって、この方法で、移動局は、近隣レポートを介してAP情報を受信してもよく、そのAP情報は、例えば、どのAPが測定パイロットを送信しているか、各APの測定パイロット間隔（検出される測定パイロットに関する）、各APのビーコン間隔（検出されるビーコンに関する）、各APのタイマー値またはTSFオフセット、および各APのBSSIDおよびチャネル、ならびにその他の情報を示す。APからのTSFまたはタイマー値により、場合によって、いつ測定パイロットおよび／またはビーコンが近隣APから送信されるかを、局が推定できるようになり、チャネル上またはAPからの信号をいつ受信するかを局が決定できるようになる。
【００６０】
近隣APのビーコン情報および特に測定パイロット送信情報は、近隣レポートで局に提供されてもよく、別のAPにローミングまたは別のAPを探索する移動局にとって、非常に有用な情報になりうる。近隣レポートにおける本情報によって、例えば、局が、例えばこのAP情報を使用してスキャンまたは監視するその信号においてより知的であることが可能になり、その他の（近くの）APからの信号を測定または監視するためのより良好または効果的な技術を選択できるようになる。例えば、測定パイロットを非常に高い頻度（例えば、10ms毎）で送信する近隣APについて、移動局は、APのチャネルを10〜20ms程で測定または監視することによって、APの信号を測定することができる。反対に、APが測定パイロットを送信していない場合、または非常に低い頻度で測定パイロットを送信する場合、ビーコンまたは測定パイロットのパッシブ監視は、APの信号を測定するには非実用的でより時間がかかる技術になる。したがって、例示的実施形態において、このような場合（近隣レポートに示されるように、APからの測定パイロットが存在しない、または測定パイロットの頻度が非常に低い場合）に、移動局は、代わりに、APの信号を測定するためにプローブ要求をそのようなAPに送信することによってアクティブスキャンを用いることを決定してもよく、あるいは、APの測定パイロットまたはビーコンの送信が推定される短時間周期中にそのAPをパッシブ的に監視またはパッシブ的にスキャンするように選出してもよい。
【００６１】
移動局が、特定のAPについて、アクティブスキャンまたはその他の信号測定技術を指定することができるため、近隣レポートによってスキャンが効果的になる。近隣レポートは、（例えばいくつかのフィールドに）有用でありうる情報（例えば、一つ以上の近隣APに関する、チャネルID、BSSID、TSFオフセットまたはタイマー値、および測定パイロット間隔）を移動局に提供して、それらのAPに関してアクティブスキャンを実行するようにする。
【００６２】
図8を参照すると、移動局は、AP1、AP2、およびAP3を含む複数のAPに関する情報を提供する近隣レポートを受信してもよい（しかし、ビーコン／測定パイロットを送信する特定の送信時間は、必ずしも局に提供されないまたは必ずしも利用可能ではない）。本実例における近隣レポートは、1）AP1がビーコンを100ms毎（つまり、100msのビーコン間隔）に送信するが、測定パイロットは送信されなかったこと、2）AP2が測定パイロットを40ms毎（つまり、40msの測定パイロット間隔）に送信し、ビーコンを100ms毎に送信すること、ならびに3）AP3がビーコンを100ms毎に送信し、測定パイロットを約10ms毎に送信すること、を示してもよい。これは、単に例示目的に使用される実例である。
【００６３】
したがって、図8の例において、移動局は、チャネル毎に20msで監視してもよく、いつビーコン702または測定パイロット704が送信されるかを正確に把握しなくてもよいが、AP3が頻繁に（例えば、10ms毎）測定パイロットを送信すること、ならびにAP1が測定パイロットを送信せず、AP2が測定パイロットを低い頻度で送信することを把握する。ゆえに、二つのパイロットがこの20msの測定時間周期で受信されるため（10msの測定パイロット間隔に起因して）、移動局は、20msの測定時間周期を使用してAP3のチャネル上の信号を測定してもよい（AP3の信号の測定）。反対に、移動局は、AP1およびAP2の各々からの信号を測定するには測定時間周期が不十分であることを（例えば、近隣レポートから）把握してもよく、ゆえに、アクティブスキャンまたはその他の技術を実行することを（例えば、測定パイロットをパッシブ的にスキャンまたは監視せずに）選出してこれらのAPの信号を測定してもよい。別の例示的実施形態において、局は、ビーコン間隔およびTSFオフセットからビーコン送信時間を概算で推定してもよい。その場合、推定されたビーコン送信時間などに基づいて、いつパッシブスキャンを行なうかを局が指定することができるため、局は、パッシブスキャンを含むいかなる技術も選出してもよい。これは、単に別の例示的実施形態に過ぎず、開示はそれに限定されない。
【００６４】
したがって、例えば、一つ以上の近隣APに関する、ビーコンまたは測定パイロットがAPから受信されるか否かの表示、ビーコン間隔、測定パイロット間隔、TSFオフセットまたはタイマー値、チャネル、およびBSSID（またはネットワークID）のうちの一つ以上を含む近隣レポートを提供することによって、少なくともいくつかの場合において、AP信号がより効果的にまたはより実用的に測定されることになる。
【００６５】
前述のとおり、無線ノードは、APなどの第一の無線ノードから近隣レポートを受信してもよい。近隣レポートは、例えば、アソシエーション応答またはプローブ応答においてあるいは個別の近隣レポート要求に応じて、APから局によって入手されてもよい。例示的実施形態において、近隣レポートは、例えば、その他のノードが測定パイロットを送信しているか否かの表示またはその他のノードの測定パイロット間隔などの、ネットワークにおける一つ以上のその他のノードに関する測定パイロット送信情報を含んでもよい。
【００６６】
別の例示的実施形態によると、無線ノード（または局）は、APなどの第一の無線ノードからメッセージを受信してもよい。メッセージは、第一の無線ノードに関する測定パイロット情報（測定パイロット送信情報としても知られる）を含んでもよい。メッセージは、例えば、プローブ応答メッセージ、アソシエーション応答メッセージ、近隣レポートメッセージ、またはその他のメッセージであってもよい。測定パイロット送信情報は、例えば、第一の無線ノードに関する測定パイロット間隔を含んでもよく、その測定パイロット間隔は、第一の無線ノードからの測定パイロットの間の時間周期を識別する。また、測定パイロット送信情報は、タイマーまたはTSFオフセットを示してもよい。受信する側のノードは、第一の無線ノードからさらなる信号を受信するようにして、受信する側のノードが、第一の無線ノードからの信号の信号強度などを測定できるようにしてもよい。例えば、第一の無線ノードの測定パイロット間隔を示す測定パイロット送信情報を受信することによって、受信する側のノードは、例えば、第一の無線ノードからの測定パイロットをスキャンまたは受信する時間を調整し、第一の無線ノードからの実際の測定パイロット送信時間と一致または合致するようにしてもよい（例えば、パイロットフレーム受信後に）。
【００６７】
測定パイロット送信情報により、例えば、第一の無線ノードからの信号を測定するための信号測定技術をノードが決定できるようになる。例えば、測定パイロットが第一の無線ノードから10ms毎に送信されていることを示す測定パイロット送信情報が、プローブ応答メッセージに含まれる場合、ノードは、次の測定パイロットを受信するように選出してもよい。反対に、第一の無線ノードからの測定パイロット送信情報によって、第一の無線ノードが測定パイロットを50ms毎に送信することあるいは恐らく全く送信しないことが示される場合、ノードは、よりアクティブなスキャン技術を選出してもよく、その技術により、さらなるプローブ要求メッセージを送信し、例えば第一の無線ノードからさらなるプローブ応答メッセージを受信するようにする（例えば、APの信号強度を測定するために）。
【００６８】
また、測定パイロット送信情報により、受信する側のノードが、第一の無線ノードからの測定パイロットを受信するための時間を決定または推定することが可能になる。したがって、例示的実施形態によると、例えばプローブ応答を介して第一の無線ノードの測定パイロット送信情報を受信した後に、受信する側のノードは、受信された測定パイロット送信情報（例えば、第一の受信されたパイロットフレーム）に基づいて、第一の無線ノードから測定パイロットを受信する時間を決定または推定し、次いで、第一の無線ノードからの測定パイロットをその推定時間に受信してもよい。
【００６９】
図9は、別の例示的実施形態に係る近隣レポート要求のフレーム本体形式900を示す図である。例示的実施形態によると、近隣要求フレーム本体900は、図4に関して前述したように、カテゴリーフィールド、アクションフィールド、ダイアログトークン、および一つ以上の近隣レポート要素を含んでもよい。
【００７０】
さらに、図9における近隣レポートの応答フレーム900は、測定パイロット送信情報サブ要素902（例えば、近隣レポート要素またフレームに対するサブ要素）を含んでもよい。そのサブ要素は、近隣レポートを送信しているノード（例えば、本実例における第一の無線ノード）または、例えば送信している近隣ノードの測定パイロット送信情報を提供してもよい。測定パイロット送信情報サブ要素902は、本サブ要素を測定パイロット送信情報サブ要素として識別する要素ID904、長さフィールド906、および測定パイロット送信フィールド908を含んでもよい。測定パイロット送信フィールド908は、例えば、送信する側のノードの測定パイロット間隔を識別してもよい。ゼロ値またはその他の既定値を使用して、送信する側のノードが測定パイロットを送信しないことを示してもよい。
【００７１】
図10は、例示的実施形態に係るプローブ応答フレーム1000を示す図である。例えば、プローブ応答フレーム1000は、プローブ要求フレームに応じて送信されてもよい。プローブ応答フレーム1000は、測定パイロット送信情報要素（測定パイロット送信IE）1002などの多数のフィールドまたは要素を含んでもよい。プローブ応答1000に含まれる測定パイロット送信IE1002は、測定パイロット送信情報サブ要素902（図9）に関して前述されたように、要素IDフィールド904、長さフィールド906、および測定パイロット送信フィールド908を含んでもよい。
【００７２】
例示的実施形態によると、プローブ応答において、測定パイロットフレームがレポートされたAPによって送信されていない場合、測定パイロット間隔はゼロに設定されてもよい。また、近隣レポートにおいて、例えば、レポートされたAPが測定パイロットフレームを送信していない場合あるいは測定パイロット間隔がレポートする側のノードまたはAPによって認識されていない場合に、測定パイロット間隔はゼロに設定されてもよい。
【００７３】
図11は、例示的実施形態に係る無線ノードの動作を示すフローチャートである。1110において、近隣レポートは、第一の無線ノードから受信されてもよく、その近隣レポートは、一つ以上のその他の無線ノードに関する測定パイロット送信情報を少なくとも含む。例えば、無線ノード106は、AP104から近隣レポートを受信してもよい。例示的実施形態によると、近隣レポートは、一つ以上のその他の無線ノードに関する測定パイロット送信情報およびビーコン情報を含んでもよい（1112）。別の例示的実施形態によると、測定パイロット送信情報は、一つ以上のその他の無線ノードのうちの少なくとも一つに関する測定パイロットをノードが送信しているか否かに関する表示を含んでもよい（1114）。別の例示的実施形態によると、測定パイロット送信情報は、一つ以上のその他の無線ノードに関する測定パイロット間隔を含んでもよい（1116）。例えば、測定パイロット送信情報は、測定パイロット間隔を含む測定パイロット送信フィールド908を含んでもよい。
【００７４】
1120において、信号測定技術は、近隣レポートに少なくとも部分的に基づいて、一つ以上のその他の無線ノードのうちの少なくとも一つからの信号を測定するために決定されてもよい。例示的実施形態によると、その決定することは、近隣レポートに少なくとも部分的に基づいて、信号測定技術（測定パイロット信号の監視または受信、受信されたビーコンを使用するパッシブスキャン、またプローブ要求およびプローブ応答を使用するアクティブスキャン）のうちの一つ以上を決定することを含んでもよい（1122）。
【００７５】
例示的実施形態によると、信号は、決定された測定技術を使用して、一つ以上のその他の無線ノードのうちの少なくとも一つから測定されてもよい（1130）。別の例示的実施形態によると、近隣レポートは、要求されてもよい（1140）。
【００７６】
図12は、例示的実施形態に係る無線ノードの動作を示すフローチャートである。1210において、近隣レポート要求は、第一のアクセスポイント（AP）に送信されてもよい。例えば、近隣レポート要求300は、AP104に送信されてもよい。例示的実施形態によると、その近隣レポート要求を送信することは、近隣レポート要求を第一のアクセスポイント（AP）に送信することを含んでもよい。その近隣レポート要求は、一つ以上のその他のAPに関する近隣レポートに提供されるビーコン情報および／または測定パイロット送信情報のうちの一つ以上を特定する（1212）。
【００７７】
1220において、近隣レポートは、第一のAPから受信されてもよい。例えば、無線ノード106は、AP104から近隣レポート400を受信してもよい。例示的実施形態によると、近隣レポートは、第一のAPから受信されてもよく、その近隣レポートは、一つ以上のその他のAPのうちの少なくとも一つに関する測定パイロット間隔を含む（1222）。例えば、近隣レポート400は、図6に関して前述のとおり、測定パイロット間隔を含んでもよい。
【００７８】
1230において、信号測定技術は、近隣レポートに少なくとも部分的に基づいて、一つ以上のその他の無線ノードからの信号を測定するために決定されてもよい。例示的実施形態によると、信号は、決定された測定技術を使用して、一つ以上のその他の無線ノードのうちの少なくとも一つから測定されてもよい（1240）。
【００７９】
図13は、別の例示的実施形態に係る無線ノードの動作を示すフローチャートである。1310において、近隣レポートは、第一のAPから受信されてもよく、その近隣レポートは、一つ以上のその他のAPに関する測定パイロット間隔を少なくとも含む。例えば、無線ノード106は、図6に示されるような測定パイロット間隔を含む近隣レポート400をAP104から受信してもよい。1320において、一つ以上のその他のAPの測定パイロットを受信または測定するための測定周期または測定時間は、近隣レポートに基づいて決定されてもよい。1330において、一つ以上のその他のAPの測定パイロットは、決定することに基づいて、測定または受信されてもよい。1340において、アクティブスキャンまたはパッシブスキャンは、一つ以上のその他のAPの少なくとも一つに関するさらなる情報を入手するために使用されてもよい。1350において、その他のAPのうちの一つは、さらなる情報に基づいて、アソシエーションされてもよい。
【００８０】
図14は、別の例示的実施形態に係る無線ノードの動作を示すフローチャートである。1410において、メッセージは、第一の無線ノードから受信されてもよく、そのメッセージは、第一の無線ノードに関する測定パイロット送信情報を含む。例えば、無線ノード106は、図6の測定パイロット送信情報を含む近隣レポート400をAP104から受信してもよい。例示的実施形態によると、受信されたメッセージには、プローブ応答メッセージまたは近隣レポートが含まれてもよい（1412）。別の例示的実施形態によると、測定パイロット送信情報は、第一の無線ノードが測定パイロットを送信しているか否かに関する表示を含んでもよい（1414）。さらに別の例示的実施形態によると、測定パイロット送信情報は、第一の無線ノードに関する測定パイロット間隔を含んでもよい（1416）。
【００８１】
1420において、第一の無線ノードからの信号を測定するための信号測定技術は、受信されたメッセージに少なくとも部分的に基づいて決定されてもよい。例示的実施形態によると、その決定することは、第一の無線ノードに関する測定パイロット送信情報に少なくとも部分的に基づいて、第一の無線ノードからの信号を測定するために使用される信号測定技術（第一の無線ノードからの測定パイロット信号の監視または受信、あるいはプローブ要求およびプローブ応答を使用するアクティブスキャン）のうちの一つ以上を含んでもよい（1422）。
【００８２】
図15は、別の例示的実施形態に係る無線ノードの動作を示すフローチャートである。1510において、メッセージは、第一の無線ノードから受信されてもよく、そのメッセージは、第一の無線ノードに関する測定パイロット送信情報を含む。例えば、無線ノード106は、図9または10の測定パイロット送信情報を含む近隣レポート応答900をAP104から受信してもよい。例示的実施形態によると、受信されたメッセージには、プローブ応答メッセージまたは近隣レポートが含まれてもよい（1512）。例えば、受信されたメッセージには、近隣レポート応答900またはプローブ応答1000が含まれてもよい。例示的実施形態によると、測定パイロット送信情報は、第一の無線ノードが測定パイロットを送信しているか否かに関する表示を含んでもよい（1514）。例示的実施形態によると、測定パイロット送信情報は、第一の無線ノードに関する測定パイロット間隔を含んでもよい（1516）。
【００８３】
1520において、第一の無線ノードからの測定パイロット信号を受信する時間は、受信されたメッセージにおける測定パイロット情報に少なくとも部分的に基づいて、推定されてもよい。例示的実施形態によると、測定パイロット信号は、その推定された時間に、第一の無線ノードから受信されてもよい。（1530）。
【００８４】
図16は、別の例示的実施形態に係る無線ノードの動作を示すフローチャートである。1610において、近隣レポートは、第一の無線ノードから受信されてもよく、その近隣レポートは、一つ以上のその他の無線ノードに関する測定パイロット送信情報を少なくとも含む。例えば、無線ノード106は、AP104から近隣レポートを受信してもよい。例示的実施形態によると、測定パイロット送信情報は、一つ以上のその他の無線ノードに関する測定パイロット間隔を含んでもよい（1612）。例えば、測定パイロット送信情報は、測定パイロット間隔を含む測定パイロット送信フィールド908を含んでもよい。
【００８５】
図17に示されるように、各ノード（例えば、移動局またはAP）は、例示的実施形態に係る装置1700を備えてもよい。装置1700は、例えば、信号を送受信するための無線送受信機1702と、ノードの動作を制御して、かつ命令またはソフトウェアを実行するためのプロセッサまたは制御装置1704と、データおよび／または命令を保存するためのメモリ1006とを備えてもよい。各ノードは、上述のさまざまな機能またはタスクを実行するようにプログラミングまたは構成されてもよい。無線ノード制御装置1704は、上述のさまざまなタスクおよび機能を実行するために、プログラム可能であり、かつソフトウェアあるいはメモリまたはその他のコンピュータ媒体に保存されるその他の命令を実行可能である。さらに、保存媒体が提供されてもよく、その保存媒体は、プロセッサ（例えば、ノードまたはノードのプロセッサ1704）による実行時に、プロセッサが上述のような機能またはタスクまたは作用のうちの一つ以上を実行可能にする保存された命令を含む。
【００８６】
本明細書に記載のさまざまな技術の実装は、デジタル電子回路において、あるいはコンピュータハードウェア、ファームウェア、ソフトウェア、またはそれらの組み合わせにおいて実装されてもよい。実装は、コンピュータプログラム製品、つまり、機械可読保存デバイスまたはコンピュータ可読媒体あるいは伝播信号などの情報担体において有形に具現化されるコンピュータプログラムのように実装されて、プログラム可能プロセッサまたは多重プロセッサ、コンピュータ、または多数のコンピュータなどのデータ処理装置により実行され、またはそのデータ処理装置の動作を制御してもよい。上述のようなコンピュータプログラムは、コンパイラ型またはインタープリタ型言語を含むいかなる形式のプログラミング言語でも書き込み可能であり、スタンドアロンプログラムまたはモジュール、コンポーネント、サブルーチン、またはコンピュータ環境における使用に適したその他のユニットなどを含むいかなる形式でも配置可能である。コンピュータプログラムは、一つのサイトにおいて一つのコンピュータまたは複数のコンピュータ上で実行されるように配置可能であり、あるいは複数のサイト間に分配され、通信ネットワークによって相互接続可能である。
【００８７】
方法のステップは、一つ以上のプログラム可能なプロセッサによって実行されてもよく、そのプログラム可能なプロセッサは、コンピュータプログラムを実行して、入力データで動作し、かつ出力を生成することによって機能を実行する。また、方法のステップは、例えば、フィールドプログラマブルゲートアレイ（Field Programmable Gate Array; FPGA）または特定用途向け集積回路（Application-Specific Integrated Circuit; ASIC）などの専用論理回路によって実行されてもよく、あるいは、その専用論理回路として実装されてもよい。
【００８８】
実施形態の特定の特徴が本明細書に記載のように説明されたが、多くの修正、置換、変更、および同等物が当業者によって考察されるだろう。ゆえに、添付の請求項が、さまざまな実施形態の真の趣旨にあるかかる修正および変更の全てを包含することを意図していることが理解されたい。
【図１】
2009509374.tif 000003
【図２】
2009509374.tif 000004
【図３】
2009509374.tif 000005
【図４】
2009509374.tif 000006
【図５】
2009509374.tif 000007
【図６】
2009509374.tif 000008
【図７】
2009509374.tif 000009
【図８】
2009509374.tif 000010
【図９】
2009509374.tif 000011
【図１０】
2009509374.tif 000012
【図１１】
2009509374.tif 000013
【図１２】
2009509374.tif 000014
【図１３】
2009509374.tif 000015
【図１４】
2009509374.tif 000016
【図１５】
2009509374.tif 000017
【図１６】
2009509374.tif 000018
【図１７】
2009509374.tif 000019
【国際調査報告】
2009509374.tif 000020
2009509374.tif 000021
2009509374.tif 000022
2009509374.tif 000023